(57)【要約】【課題】歯科治療ユニットにおいて、従来、別々に構成，設置されていたディスプレイとフィルムビュアを１つの装置として構成し、使い勝手を良くするとともに、ユニット全体の構成を簡素化し、患者に対する恐怖感を和らげる。【解決手段】ディスプレイ１３と、該ディスプレイ１３に着脱可能でかつ該ディスプレイの表示面を覆う透明板のアタッチメント１２とから成る。アタッチメント１２の前面には、レントゲンフィルム１１を着脱自在に装着可能なフィルム押え板１２ａを有する。アタッチメント１２にレントゲンフィルム１１を装着したアタッチメント１２をディスプレイ１３の表示面の前に吊り下げ、ディスプレイ１３を白色発光させる。【選択図】図１
2007167084.tif 000002
【特許請求の範囲】
【請求項１】
ディスプレイと、該ディスプレイに着脱可能でかつ該ディスプレイの表示面を覆う透明板のアタッチメントとから成り、該アタッチメントの前面に、レントゲンフィルムを着脱自在に装着可能なフィルム押え板を有することを特徴とする歯科用フィルムビュア兼モニタ装置。
【請求項２】
前記ディスプレイに前記アタッチメントを装着した時に、該ディスプレイが白色発光することを特徴とする請求項１に記載の歯科用フィルムビュア兼モニタ装置。
【請求項３】
前記ディスプレイは、装着されるレントゲンフィルムのサイズに応じた面積が白色発光されることを特徴とする請求項１又は２に記載の歯科用フィルムビュア兼モニタ装置。
【請求項４】
前記ディスプレイはワークテーブルに取り付けられていることを特徴とする請求項１乃至３のいずれかに記載の歯科用フィルムビュア兼モニタ装置。
【発明の詳細な説明】
【技術分野】
【０００１】
本発明は、歯科治療において、夫々別個に用いられているフィルムビュア及びモニタ（ディスプレイ）を１つの装置にまとめ、フィルムビュア用の光源をディスプレイ（モニタ）から得るようにし、単一のフィルムビュア兼モニタ装置としてワークテーブル等の術者の手の届く範囲に設置可能として、使い勝手を良くするとともに、配設空間を簡素化して、歯科ユニット全体の景観を良くしたものである。
【背景技術】
【０００２】
図２は、本発明が適用される一例としての歯科治療ユニットの例を説明するための全体構成図で、該歯科治療ユニットは、治療椅子１、給排水及びコントロールボックス２、ワークテーブル３、インスツルメントホルダー４、インスツルメント５、インスツルメントホース６、アシスタント用インスツルメントホルダー７、液晶ディスプレイ８、フィルムビュア（シャウカステン）９等から成り、インスツルメントホルダー４には、歯科治療において使用する種々のインスツルメント５が収納されており、周知のように、歯科治療に当り、患者は椅子１に座り、頭を安頭台に固定して治療を受ける。治療中、術者は、治療椅子１を上下動、倒起動、傾斜動等させて、患者を治療しやすい姿勢にして治療を行う。
【０００３】
診療に先立って、或いは、診療の途中、或いは、診療後に、術者は、ディスプレイ（モニタ）８に口腔内カメラ等で撮影した被治療箇所の映像を表示し、或いは、フィルムビュア９に被治療箇所を予め撮影したレントゲン写真を装着し、被治療箇所の状態を患者に見せながら説明することが行われている。その場合、従来は、ディスプレイ（モニタ）８とフィルムビュア９が別々に構成，設置されているため、使い勝手が悪く、しかも、治療ユニット全体が繁雑に見え、患者に威圧感（恐怖感）を与える等の恐れがあった。
【発明の開示】
【発明が解決しようとする課題】
【０００４】
歯科治療ユニットにおいて、従来、別々に構成，設置されていたディスプレイとフィルムビュアを１つの装置として構成し、使い勝手を良くするとともに、ユニット全体の構成を簡素化し、患者に対する恐怖感を和らげることを目的としてなされたものである。
【課題を解決するための手段】
【０００５】
請求項１の発明は、ディスプレイと、該ディスプレイに着脱可能でかつ該ディスプレイの表示面を覆う透明板のアタッチメントとから成り、該アタッチメントの前面に、レントゲンフィルムを着脱自在に装着可能なフィルム押え板を有することを特徴としたものである。
【０００６】
請求項２の発明は、請求項１の発明において、前記ディスプレイに前記アタッチメントを装着した時に、該ディスプレイが白色発光することを特徴としたものである。
【０００７】
請求項３の発明は、請求項１又は２の発明において、前記ディスプレイは、装着されるレントゲンフィルムのサイズに応じた面積が白色発光されることを特徴としたものである。
【０００８】
請求項４の発明は、請求項１乃至３のいずれかの発明において、前記ディスプレイはワークテーブルに取り付けられていることを特徴としたものである。
【発明の効果】
【０００９】
本発明によると、従来、別々に構成されていたモニタ（ディスプレイ）とフィルムビュアを１つにまとめて単一の装置としたので、使い勝手がよく、更には、ユニット全体の構成が簡素化され、患者に対する恐怖感を緩和することができる。
【発明を実施するための最良の形態】
【００１０】
図１は、本発明によるフィルムビュア兼モニタ装置の一実施例を説明するための分解構成図で、図中、１１は患者の患部（被治療部位）が予め撮影されたレントゲンフィルム、１２は本発明によって提案されたアタッチメント、１３はディスプレイ（モニタ）で、アタッチメント１２は透明板で構成され、その前面にはフィルム押え板１２ａが取り付けられており、このフィルム押え板１２ａとアタッチメント（透明板）１２との間にレントゲンフィルム１１を挟みこむことができるようになっている。
【００１１】
アタッチメント１２は、モニタ（ディスプレイ）１３に取り付け可能に構成されており、具体的には、上部がコの字型に折り曲げられて、ディスプレイ（モニタ）１３の上部に懸架できるようになっている。このようにしておくと、フィルムビュアとして使用する時は、透明板１２がディスプレイ１３の前面にくるように懸架し、非使用時は、向きを逆にして、透明板１２がディスプレイ１３の背面にくるように懸架することが可能であり、非使用時におけるアタッチメントの収納が非常に楽になる。
【００１２】
ディスプレイ（モニタ）１３としては、ＣＲＴディスプレイ、液晶ディスプレイ等、任意所望のディスプレイを使用することができるが、通常は、口腔内観察カメラ等によって撮影した被治療部位の像を表示し、写し出された像を見ながら治療を行い、或いは、患者に患部の状態を見せながら症状を説明し、更には、今後の治療の進め方等について説明する。
【００１３】
本発明は、上述のごときディスプレイ１３を光源として利用してレントゲンフィルムを見ようとするもので、該ディスプレイ１３をフィルムビュアとして使用するときは、前述のアタッチメント１２をディスプレイ１３の表示面の前に吊り下げ、フィルム押え板１２ａにレントゲンフィルム１１を挟み込み、ディスプレイ１３を白色発光させ、レントゲンフィルム１１の像を観察する。
【００１４】
この場合、白色発光させる領域は、ディスプレイ１３の表示面の全面でもよいが、好ましくは、レントゲンフィルム１１の大きさによって変えるようにし、例えば、小サイズのデンタルフィルムの場合は、該デンタルフィルムの大きさに応じた小領域を、また、大サイズのパノラマフィルムの場合は、該パノラマフィルムの大きさに応じた大領域を白色発光させるようにすると、フィルム部分だけが照明され、相対的に周りが暗くなって見せやすくなる。
【００１５】
ディスプレイ１３を白色発光させる領域は、ディスプレイ１３にアタッチメント１２が装着されたことを検知して該ディスプレイ１３の全表示領域を白色発光させるようにしたり、装着されたレントゲンフィルムの大きさを検知して、当該フィルムが装着された領域のみを白色発光させるようにしてもよいが、ディスプレイ１３に予め全表示領域を白色発光させるためのスイッチ、レントゲンフィルムの大きさに応じた小領域或いは大領域の表示面を白色発光させるスイッチを設けておいてもよい。
【図面の簡単な説明】
【００１６】
【図１】本発明によるフィルムビュア兼モニタ装置の一実施例を説明するための分解構成図である。
【図２】本発明が適用される一例としての歯科治療ユニットの例を説明するための全体構成図である。
【符号の説明】
【００１７】
１１…レントゲンフィルム、１２…アタッチメント（透明板）、１２ａ…フィルム押え板、１３…ディスプレイ（モニタ）。
【図１】
2007167084.tif 000003
【図２】
2007167084.tif 000004